(57)【要約】  美容機器であって，前記美容機器は，上部と下部で構成され，前記美容機器の下部は，把手で構成されており，前記美容機器の上部の内部に構成されている空洞状の孔と，前記空洞状の孔に構成されている導電性ホルダーと，前記導電性ホルダーに着脱可能な美容水機器とを備え，前記導電性ホルダーに前記美容水機器が挿入された際に，少なくとも前記美容水機器の一部構成を導電体で構成し，前記美容水機器から流出される美容水が皮膚に接触した時に，前記美容機器で発生して前記導電性ホルダーと前記導電体を介して前記美容水に流れる微細電流が，人体の皮膚に流れるように構成した美容機器に関する。
2020529912.tif 000002
【特許請求の範囲】
【請求項１】
美容機器であって，
前記美容機器は，上部と下部で構成され，
前記美容機器の下部は，把手で構成されており，
前記美容機器の上部の内部に構成されている空洞状の孔と，
前記空洞状の孔に構成されている導電性ホルダーと，
前記導電性ホルダーに着脱可能な美容水機器と，を備え，
前記導電性ホルダーに前記美容水機器が挿入された際に，少なくとも前記美容水機器の一部構成を導電体で構成し，前記美容水機器から流出される美容水が皮膚に接触した時に，前記美容機器で発生して前記導電性ホルダーと前記導電体を介して前記美容水に流れる微細電流が，人体の皮膚に流れるように構成することを特徴とする美容機器。
【請求項２】
前記導電性ホルダーは，円筒状を有することを特徴とする請求項１記載の美容機器。
【請求項３】
前記把手の一部に把手導電体を備えることで，前記把手導電体を把持し，前記美容水機器から流出される美容水が皮膚に接触した時に微細電流が流れるように構成することを特徴とする，請求項１記載の美容機器。
【請求項４】
前記把手導電体には正電流が流れ，美容水機器の一部の前記導電体には負電流が流れることを特徴とする請求項３記載の美容機器。
【請求項５】
美容水機器は，美容ボールを介して美容水が流れるように構成することを特徴とする請求項１記載の美容機器。
【請求項６】
前記美容ボールを球体で構成することで，光が射出される部分が凸レンズの形態で構成され，前記美容機器で発光したＬＥＤの光が１つに集中され，人体に有益な波長帯の光が皮膚に浸透するように構成することを特徴とする請求項５記載の美美容機器。
【請求項７】
美容機器であって，
前記美容機器は，上部と下部で構成され，
前記美容機器の下部は，把手で構成されており，
前記美容機器の上部の内部に構成されている空洞状の孔と，
前記空洞状の孔に構成されている導電性ホルダーと，
前記導電性ホルダーに着脱可能なマッサージキャップと，を備え，
前記マッサージキャップは，第２導電体と挿入部で構成され，
前記導電性ホルダーに前記マッサージキャップが挿入された際に，少なくとも前記マッサージキャップの前記第２導電体が皮膚に接触した時に，前記美容機器で発生した微細電流が前記導電性ホルダーと前記第２導電体を介して人体の皮膚に流れるように構成することを特徴とする美容機器。
【請求項８】
振動素子をさらに備えることを特徴とする請求項１から７何れか一項記載の美容機器。
【請求項９】
前記美容機器の把手部に，ＬＥＤコントローラスイッチ，レーザー超音波コントローラスイッチ，及びオン／オフスイッチをさらに備えることを特徴とする請求項１から７何れか一項記載の美容機器。
【請求項１０】
容器と，
前記容器と結合する美容ボールホルダーとを備え，
前記美容ボールホルダーは，美容ボールとボールガイドで構成され，
前記美容ボールホルダーの外部には導電体ケースを備えることを特徴とする美容水機器。
【請求項１１】
前記美容ボールを保護するために，ボール蓋を備えることを特徴とする請求項１０記載の美容水機器。
【請求項１２】
前記美容ボールホルダーの上部は，容器と結合するための構成で構成されており，
前記美容ボールホルダーの下部は，美容ボールを挿入するための前記ボールガイドで構成されることを特徴とする請求項１０記載の美容水機器。
【請求項１３】
前記導電体ケースは，前記美容ボールが接するように延びて構成し，前記美容ボールを介して流出される美容水に微細電流が流れるように構成することを特徴とする請求項１０記載の美容水機器。
【請求項１４】
前記美容ボールは球体で構成することを特徴とする請求項１０記載の美容水機器。
【発明の詳細な説明】
【技術分野】
【０００１】
本発明は，微細電流が流れる美容機器を用いて微細電流が皮膚に流れるようにして皮膚をマッサージする美容機器に関する。
【背景技術】
【０００２】
背景技術として，韓国特許登録第１０‐０９６２９７３号の発明は，図１３に示すように，本体１０に装着される乾電池の電気エネルギーにより発光する高輝度ＬＥＤランプ３０から発生した赤外線の照射を可能とする遠赤外線照射窓２１を含む。
【０００３】
前記乾電池の２つの電極間の微細電流の流れによりイオンが発生するイオンヘッド２０が本体の前面に設けられている。
【０００４】
前記イオンヘッドが取り付けられている本体には，制御ＰＣＢ基板４０が設けられており，これを高輝度ＬＥＤランプとイオンヘッドに供給される乾電池の電気エネルギーを選択的に供給させるプッシュボタン１１が設けられている。
【０００５】
前記プッシュボタンと隣接する位置に電源表示ランプ１２が設けられたマッサージ機で皮膚をマッサージするものであって，従来技術では，皮膚に美白組成物を塗布した後，まんべんなくマッサージするものについて説明している。
【０００６】
しかしながら，このような器具は，組成物を皮膚に塗布し，その後にマッサージ機を用いて光，イオン，音をともに放出させる美容機器に関するものであって，煩わしさと効果において大きい差がある。
【０００７】
微細電流は，皮膚が殆ど感じない程度の電流値である。これは，皮膚に刺激を与えるよりは，イオナイザ，すなわち，イオン現象を利用する方法である。
【０００８】
微細電流とは，１０００μＡ（１ｍＡ）未満の弱い電流であって，人体でも，約４０μＡから６０μＡの弱い生体電流が，各器官の間における信号伝逹作用をしながら流れている。
【０００９】
微細電流が身体に与える様々な治療効果が立証され，医療界の注目を受けてきた。
【００１０】
微細電流は，アデノシン三リン酸（ＡＴＰ）生成の増加，骨折治癒の促進，血液循環の改善，痛み緩和などの効果が立証され，主に，物理治療に関連した医学的用途に活用されてきた。
【００１１】
一般に，皮膚を管理する微細電流機器は，導電体の形態であって，皮膚に接する端部に電流が流れる装置を備える。微細電流は，一般に，１．９Ｖの２５ｍＡ程度の電流を流すことで皮膚を改善する効果が証明されており，一般的に商品が生産及び流通されている。
【００１２】
また，かかる微細電流の機能を化粧品とともに利用することで，化粧品の機能を向上させることもある。近年，このように微細電流を利用した種々の美容機器が開発されており，美容市場においても大きい市場を形成している。
【００１３】
特に，化粧品の機能において，新しい成分が開発され続けられており，化粧品と微細電流をともに用いる傾向が顕著になっている状況である。
【００１４】
特に，化粧品の機能を極大化するために，一部の病院では，マイクロニードル，すなわち，顕微針を利用して皮膚に傷をつくり，その部分に機能性化粧品を吸収させる，いわゆるＭＴＳ（Microneedle Therapy System）方法も用いられている。
【００１５】
しかし，このような方式は何れも，実際の機能性化粧品と，機能性を有する，例えば，微細電流機器（例えば，電気化学反応(galvanic）)をともに一体化できていないという問題があるため，常に２つの製品，すなわち，化粧品を使用した後に，さらに他の機器を使用しなければならないという不便さがあった。
【００１６】
また，機能性化粧品を同時に用いる場合における吸収の問題において，化粧水が皮膚に接して直ちに微細電流が流れるのではなく，化粧をした後に微細電流機器を用いるため，問題を解決することができなかった。
【発明の概要】
【発明が解決しようとする課題】
【００１７】
美容水を皮膚に塗布すると同時に，微細電流が流れるようにしたものである。
【００１８】
本発明は，微細電流が流れるボールと一体型容器を備え，ボールの方に電流が流れるようにする導電体構造物により，微細電流が皮膚に流れるようにしたものである。
【００１９】
ボールを球体で構成し，射出面を凸レンズで構成することで，身体に有益な波長帯の光線が集中されるように構成したものである。
【課題を解決するための手段】
【００２０】
本発明が解決しようとする課題のために，次のような構成を有する。
【００２１】
美容機器であって，
前記美容機器は，上部と下部で構成され，
前記美容機器の下部は，把手で構成されており，
前記美容機器の上部の内部に構成されている空洞状の孔と，
前記空洞状の孔に構成されている導電性ホルダーと，
前記導電性ホルダーに着脱可能な美容水機器と，を備え，
前記導電性ホルダーに前記美容水機器が挿入された際に，少なくとも前記美容水機器の一部構成を導電体で構成し，前記美容水機器から流出される美容水が皮膚に接触した時に，前記美容機器で発生して前記導電性ホルダーと前記導電体を介して前記美容水に流れる微細電流が，人体の皮膚に流れるように美容機器を構成する。
【００２２】
ここで，前記導電性ホルダーは，円筒状を有する。
【００２３】
ここで，前記把手の一部に把手導電体を備えることで，前記把手導電体を把持し，前記美容水機器から流出される美容水が皮膚に接触した時に微細電流が流れるように構成することが好ましい。
【００２４】
ここで，前記把手導電体には正電流が流れ，美容水機器の一部の前記導電体には負電流が流れるように構成することが好ましい。
【００２５】
ここで，美容水機器は，美容ボールを介して美容水が流れるように構成する。
【００２６】
ここで，前記美容ボールは球体に形成し，射出面を凸レンズで構成することで，前記美容機器で発光したＬＥＤの光が１つに集中され，人体に有益な波長帯の光が皮膚に浸透するように構成することが好ましい。
【００２７】
ここで，美容機器であって，
前記美容機器は，上部と下部で構成され，
前記美容機器の下部は，把手で構成されており，
前記美容機器の上部の内部に構成されている空洞状の孔と，
前記空洞状の孔に構成されている導電性ホルダーと，
前記導電性ホルダーに着脱可能なマッサージキャップと，を備え，
前記マッサージキャップは，第２導電体と挿入部で構成され，
前記導電性ホルダーに前記マッサージキャップが挿入された際に，少なくとも前記マッサージキャップの前記第２導電体が皮膚に接触した時に，前記美容機器で発生した微細電流が前記導電性ホルダーと前記第２導電体を介して人体の皮膚に流れるように構成することで，美容水機器により行っていたマッサージに代替することにより選択的にマッサージを行う。
【００２８】
ここで，振動素子をさらに備え，皮膚マッサージをさらに効果的に行う構成を有する。
【００２９】
ここで，前記美容機器の把手部に，ＬＥＤコントローラスイッチ，レーザー超音波コントローラスイッチ，及びオン／オフスイッチを備える。
【００３０】
また，容器と，
前記容器と結合する美容ボールホルダーと，を備え，
前記美容ボールホルダーは，前記美容ボールとボールガイドで構成されており，
前記美容ボールホルダーの外部には導電体ケースを備えて美容水機器を構成する。
【００３１】
ここで，前記導電体ケースの上部に，前記美容ボールを保護するためのボール蓋を備えること好ましい。
【００３２】
ここで，前記美容ボールホルダーの上部は，容器と結合するための構成であり，
前記美容ボールホルダーの下部は，美容ボールを挿入するための前記ボールガイドで構成されることが好ましい。
【００３３】
ここで，前記導電体ケースは，前記美容ボールが接するように延びて構成し，前記美容ボールを介して流出される美容水に微細電流が流れるように構成することが好ましい。
【００３４】
前記美容ボールは球体で構成し，射出面を凸レンズで構成することで，ガラスを介して光が入って来る時に光線が集中されるように構成することが好ましい。
【発明の効果】
【００３５】
本発明は，一般的な美容ボール(beauty ball)を導電性構造体で形成し，微細電流が回転するボールに流れるようにすることで，機能性化粧品の美容水の機能を極大化する。
【００３６】
微細電流機器と機能性化粧水，機能性エッセンス化粧品などを美容機器と同時に使用することで，従来のように微細電流機器と化粧品を別に使用する際の不便さを無くし，機器と化粧品を一体型として使用することで，化粧品の機能を極大化する効果がある。
【図面の簡単な説明】
【００３７】
【図１】美容機器の全体を示す構成図である。
【図２】図１の内部を示す図である。
【図３】導電性ホルダーを示す図である。
【図４】マッサージキャップを示す図である。
【図５】マッサージキャップの孔に結合する第２導電体を示す図である。
【図６】図４及び図５を結合した構成を示す図である。
【図７】美容水機器を示す図である。
【図８】図７の分解図である。
【図９】容器に美容ボールホルダーを結合した図である。
【図１０】図９に導電体ケースを結合した図である。
【図１１】美容水機器の使用前を示す図である。
【図１２】美容水機器の使用後に，皺が改善されたことを示す図である。
【図１３】従来技術を示す図である。
【発明を実施するための最良の形態】
【００３８】
発明を実施するための最良の形態は，本発明の第２実施例に関する。
【００３９】
図１から図６について説明する。
【００４０】
美容機器２００であって，
前記美容機器は，上部と下部で構成され，
前記美容機器の下部は，把手部２６０で構成されており，
前記美容機器の上部の内部に構成されている空洞状の孔２７０と，
前記空洞状の孔に設けられている導電性ホルダー２１０と，
前記導電性ホルダーに着脱可能なマッサージキャップ３００と，を備え，
前記マッサージキャップは，第２導電体３１０と挿入部３２０で構成され，
前記導電性ホルダー２１０に前記マッサージキャップ３００が挿入された際に，少なくとも前記マッサージキャップの前記第２導電体３１０が皮膚に接触した時に，前記美容機器で発生した微細電流が前記導電性ホルダー２１０と前記第２導電体３１０を介して人体の皮膚に流れるように構成したものである。
【００４１】
振動素子（図示せず）をさらに備え，電源をオン（ＯＮ）にした時に，直ちに振動素子により振動するように構成することで，マッサージ効果を極大化する。
【００４２】
第１実施例と同様に，前記美容機器の把手部に，ＬＥＤコントローラスイッチ２５２，レーザー超音波コントローラスイッチ２５１，及び電源オン／オフスイッチ２５３をさらに備え，追加的な機能をするように構成する。
【００４３】
次に，美容機器の孔２７０に挿入する美容水機器に関するものであって，種々の美容水を入れ，美容水を皮膚に接触させた時に直ちに微細電流が同時に流れるようにした発明である。
【発明を実施するための形態】
【００４４】
図面を中心に，本発明を実施するための具体的な内容を説明すると，下記のとおりである。
【００４５】
次は，第１実施例に関する。
【００４６】
図１〜図３を中心に説明する。
【００４７】
美容機器２００であって，
前記美容機器は，上部と下部で構成され，
前記美容機器の下部は，把手部２６０で構成されており，
前記美容機器の上部の内部に構成されている空洞状の孔２７０と，
前記空洞状の孔に密着して構成されている導電性ホルダー２１０と，
前記導電性ホルダーに着脱可能な美容水機器１００と，を備え，
前記導電性ホルダー２１０に前記美容水機器が挿入された際に，少なくとも前記美容水機器の一部の構成は導電体で構成する。
【００４８】
本発明では，導電体ケース１１０（図８）で構成し，何れの場合にも導電性ホルダー２１０と導電体ケース１１０との接触が起こるように構成したものである。
【００４９】
ここで，導電体ケース１１０と導電性ホルダー２１０は，単に小さい点で接触するように構成しても差し支えない。
【００５０】
前記美容水機器１００から流出される美容水が皮膚に接触した時に，前記美容機器で発生して前記導電性ホルダー２１０と前記導電体ケース１１０を介して前記美容水に流れる微細電流が，人体の皮膚に流れるように構成する。
【００５１】
図３に示すように，前記導電性ホルダー２１０は円筒状を成すように構成し，何れの場合にも接触されるように構成したものである。
【００５２】
点で接触する点接触であっても差し支えないことは，いうまでもない。
【００５３】
前記把手の一部に把手導電体２２０を備えることで，前記把手導電体を把持し，前記美容水機器から流出される美容水が皮膚に接触する時に，微細電流が流れるように構成したものである。
【００５４】
美容水には負電荷が流れるようにし，美容水が負イオンを帯びるように構成する。
【００５５】
前記把手導電体２２０には正電流が流れ，美容水機器の前記導電体ケース１１０には負電流が流れるように構成する。
【００５６】
その逆に構成しても効果が発生することはいうまでもない。
【００５７】
美容水機器１００には，美容ボール１２０を介して美容水が流れるように，美容ボールホルダー１４０が備えられる。
【００５８】
前記美容ボール１２０は球状で構成され，光が射出される面が凸レンズの構成を有することで，前記美容機器で発光したＬＥＤの光が１つに集中され，人体に有益な波長帯の光が皮膚に侵透するように構成される。
【００５９】
美容水を収納する容器１３０をガラスや透明なプラスチック材料で構成すると，ＬＥＤ光が，美容水を収納した容器を投光して美容ボール１２０に入射することにより，皮膚では１つの光線に集束され，遠赤外線が皮膚に浸透しやすくなる構成である。
【００６０】
微細電流を生成する電源としては，乾電池として，二次電池であるイオン電池２４０で構成した。
【００６１】
また，ＰＣＢ基板２８０を備えることで，微細電流及び光線と振動素子をオン／オフする機能を発揮する。
【００６２】
３つのスイッチが備えられているが，スイッチの個数は，場合によって増減されてよい。
【００６３】
また，レーザー超音波コントローラスイッチ２５１，ＬＥＤコントローラスイッチ２５２，及び電源オン／オフスイッチ２５３などが備えられる。
【００６４】
次に，第２実施例に関する。
【００６５】
図１から図６について説明する。
【００６６】
美容機器２００であって，
前記美容機器は，上部と下部で構成され，
前記美容機器の下部は，把手部２６０で構成されており，
前記美容機器の上部の内部に構成されている空洞状の孔２７０と，
前記空洞状の孔に構成されている導電性ホルダー２１０と，
前記導電性ホルダーに着脱可能なマッサージキャップ３００と，を備え，
前記マッサージキャップは，第２導電体３１０と挿入部３２０で構成され，
前記導電性ホルダー２１０に前記マッサージキャップ３００が挿入された際に，少なくとも前記マッサージキャップの前記第２導電体３１０が皮膚に接触した時に，前記美容機器で発生した微細電流が前記導電性ホルダー２１０と前記第２導電体３１０を介して人体の皮膚に流れるように構成したものである。
【００６７】
振動素子（図示せず）をさらに備え，電源をオン（ＯＮ）にした時に，直ちに振動素子により振動するように構成することで，マッサージ効果を極大化する。
【００６８】
第１実施例と同様に，前記美容機器の把手部に，ＬＥＤコントローラスイッチ２５２，レーザー超音波コントローラスイッチ２５１，及び電源オン／オフスイッチ２５３をさらに備え，追加的な機能をするように構成する。
【００６９】
次に，美容機器の孔２７０に挿入する美容水機器に関するものであって，種々の美容水を入れ，美容水を皮膚に接触させた時に直ちに微細電流が同時に流れるようにした発明である。
【００７０】
次は，図７から図１０に該当するものであって，図面とともに具体的に説明する。
【００７１】
容器１３０と，
前記容器１３０と結合する美容ボールホルダー１４０と，を備え，
前記美容ボールホルダー１４０は，前記美容ボール１２０とボールガイド１６０で構成されており，
前記美容ボールホルダー１４０の外部には導電体ケース１１０を備えて美容水機器を製造するものであって，該導電体ケース１１０は任意の美容機器の孔に挿入して美容のために使用するものである。
【００７２】
この美容水機器は，いうまでもなく，ボール蓋１５０を開いて皮膚をマッサージすると，美容水が皮膚に吸収されるものである。
【００７３】
前記美容ボール１２０を保護するためにボール蓋１５０を備える。
【００７４】
前記導電体ケース１１０にねじ部１１２を備え，ボール蓋１５０にも対応するねじ部１１２を備えて，螺合されるように構成する。
【００７５】
締まり嵌めにより構成しても差し支えないことは，いうまでもない。
【００７６】
容器中に美容水が入っている場合にも，表面張力により，美容ボール１２０を介して流出しない。
【００７７】
前記美容ボールホルダー１４０の中央部は，容器１３０と結合するため段差状に構成されており，前記美容ボールホルダー１４０の上部は，美容ボール１２０を挿入するための前記ボールガイド１６０で構成される。
【００７８】
前記導電体ケース１１０は，前記美容ボール１２０が接するように延びて構成し，前記美容ボールを介して流出される美容水に微細電流が流れるように構成する。
【００７９】
したがって，美容水を皮膚に塗布する瞬間に，美容水を介して流れる微細電流が流れることとなり，美容に顕著な効果を奏するように構成したものである。
【００８０】
美容水機器の前記美容ボール１２０は球状で構成され，光が射出される面が，凸レンズとしての役割を果たす。
【００８１】
図７は，美容水機器１００の全体を示す構成図である。
【００８２】
図８は，図７の美容水機器の全体を分解した構成図である。
【００８３】
本発明において，美容水機器は４つの部品で構成されている。
【００８４】
容器１３０，美容ボール１２０を含む美容ボールホルダー１４０，導電体ケース１１０，ボール蓋１５０で構成されている。
【００８５】
場合によって，部品の数は減らすことができる。
【００８６】
図９は，容器１３０に美容ボールを含む美容ボールホルダー１４０を挿入した状態を示す図である。
【００８７】
図１０は，導電体ケース１１０を図９に挿入した状態を示す図である。
【００８８】
ボール蓋は，使用しない時に，または保管のために用いるものであって，使用する時にはボール蓋を解除し，美容機器の孔に入れて使用する。
【００８９】
美容水機器は使い捨てで使用するものであって，アンプルを用いて製造することができる。
【００９０】
その後に，美容ボールを皮膚に当ててマッサージすると，美容ボールが回転しながら美容水が皮膚に接触することとなり，美容機器から流出される美容水とともに微細な電流が流れて，各種光線が皮膚に照射される。これにより，美容水が皮膚中に吸収されやすく，直ちに美容効果が現れ，特に，皺のある皮膚で，皺を除去する効果が発生する。
【００９１】
図１１及び図１２は，美容機器の使用前と使用後の図であって，皺が改善されていることを示す図である。
【００９２】
スイッチをオン（ＯＮ）にして直ちに振動素子が振動するように構成することで，容器に収納されている液体の美容水が美容ボールから流出されやすくなる効果がある。
【００９３】
また，美容ボールが皮膚に接触しながら回転するため，美容水が美容ボールの表面に沿って流出され，皮膚に接触することになる。
【００９４】
皮膚に衝撃を与えるという振動素子の効果も奏されるということはいうまでもない。
【００９５】
振動素子としては，通常の素子を用いる。
【００９６】
ＬＥＤ光線は，主に遠赤外線で構成し，遠赤外線が皮膚に集中されるように美容ボールを球状で構成する。
【００９７】
また，球状の美容ボール１２０が美容ボールホルダー１４０から離脱しないようにし，且つ透明な美容ボールがボールガイド１６０の外に４０％程度露出するように，金型が成型されるように構成する。
【００９８】
本明細書及び特許請求の範囲で用いられた用語や単語は，通常的もしくは辞書的な意味に限定して解釈してはならず，発明者らは，自分の発明を最善の方法で説明するために，用語の概念を適切に定義することができるという原則に則って，本発明の技術的思想に合致する意味と概念で解釈すべきである。
【００９９】
したがって，本明細書に記載の実施例及び図面に示された構成は，本発明の最も好ましい一実施例にすぎず，本発明の技術的思想の全部を代弁しているわけではないため，本出願時点においてそれらに代替可能な多様な均等物と変形例があり得ることを理解すべきである。
【産業上の利用可能性】
【０１００】
本発明は，微細電流が流れる美容機器を利用しながら，微細電流が皮膚に流れるようにして皮膚をマッサージする美容機器に関し，かつ，機能性化粧品の美容水の機能を極大化するものであって，産業上利用可能な技術に関するものである。
【図１】
2020529912.tif 000003
【図２】
2020529912.tif 000004
【図３】
2020529912.tif 000005
【図４】
2020529912.tif 000006
【図５】
2020529912.tif 000007
【図６】
2020529912.tif 000008
【図７】
2020529912.tif 000009
【図８】
2020529912.tif 000010
【図９】
2020529912.tif 000011
【図１０】
2020529912.tif 000012
【図１１】
2020529912.tif 000013
【図１２】
2020529912.tif 000014
【図１３】
2020529912.tif 000015
【国際調査報告】
2020529912.tif 000016
2020529912.tif 000017
2020529912.tif 000018
2020529912.tif 000019